(57)【要約】      （修正有）【課題】操作ボタンから操作ハンドルの操作に亘る操作を円滑かつ速やかに行なえるボタン錠を提供する。【解決手段】軸方向に変位し所定の情報を設定または入力可能な複数の操作ボタン２２を設け、操作ボタン２２と同軸上に配置され、操作ボタン２２と係合し、かつ軸方向へ変位するとともに回動可能なボタンギア３３を設ける。ボタンギア２２と同期回動可能で端部に複数の係合溝を設けた中継部材３９を設け、係合溝に係脱可能な角軸５２と周面に凹部５４を形成した記憶変更カム５１を設ける。ハウジング６の前面に回動可能に設け施錠部材に連係させた操作ハンドル７を設け、ハウジング６にロックシャフト８を回動可能に設け、ロックシャフト８の周面に複数の凹部６７を形成する。凹部６７と記憶変更カム５１の凹部５４との間にロックボ−ル５５を係合可能に収容し、ハウジング６の周面に沿って操作ハンドル７を移動可能に配置する。【選択図】図４
2014234657.tif 000002
【特許請求の範囲】
【請求項１】
軸方向に変位し所定の情報を設定または入力可能な複数の操作ボタンと、該操作ボタンと同軸上に配置され、前記操作ボタンによる情報の設定または入力に応じて操作ボタンと係合し、かつ軸方向へ変位するとともに回動可能なボタンギアと、該ボタンギアと同期回動可能で端部に複数の係合溝を設けた中継部材と、前記ボタンギアと同期回動可能で、かつ前記係合溝に係脱可能な角軸と周面に凹部を形成した記憶変更カムと、前記操作ボタンとボタンギアと中継部材と記憶変更カムを収容するハウジングと、該ハウジングの前面に回動可能に設け施錠部材に連係させた操作ハンドルと、を備えたボタン錠において、前記ハウジングにロックシャフトを回動可能に設け、該ロックシャフトの周面に複数の凹部を形成し、該凹部と前記記憶変更カムの凹部との間にロックボ−ルを係合可能に収容するとともに、前記ハウジングのロックシャフトと同心円上に前記操作ボタンを等角度度位置に配置し、前記ハウジングの周面に沿って操作ハンドルを移動可能に配置し、かつ操作ハンドルとロックシャフトとを同期回動または回動不可能に設けたことを特徴とするボタン錠
【請求項２】
前記ロックシャフトの各凹部と、前記記憶変更カムの各凹部との間にそれぞれロックボ−ルを介在し、操作ハンドルとロックシャフトとを同期回動可能にして解錠可能にした請求項１記載のボタン錠。
【請求項３】
前記ロックシャフトの凹部に配置したロックボ−ルに、少なくとも一つの記憶変更カムの周面を係合させ、操作ハンドルとロックシャフトとを回動不可能にして施錠可能にした請求項１記載のボタン錠。
【請求項４】
解錠時に少なくとも一つの操作ボタンを押圧操作し、該操作ボタンに連係する記憶変更カムを回動し、操作ハンドルとロックシャフトとを回動不可能にして施錠可能にした請求項３記載のボタン錠。
【請求項５】
前記ロックシャフトの後端部を角柱状に形成し、該後端部を駆動カムと該駆動カムに連係するデットボルトを備えたドア錠のカム孔に係合可能に設け、またはロックシャフトの後端部に連結板を連結し、該連結板を前記ドア錠のカム孔に係合可能に設けた請求項１記載のボタン錠。
【請求項６】
解錠時のドア錠の閉扉前に少なくとも一つの操作ボタンを押圧操作し、該操作ボタンに連係する記憶変更カムの回動を介してドア錠を施錠後、ドアを閉扉し施錠可能にした請求項４または５記載のボタン錠。
【請求項７】
解錠時のドア錠を閉扉し操作ハンドルを回動後、少なくとも一つの操作ボタンを押圧操作し、該操作ボタンに連係する記憶変更カムの回動を介してドア錠を施錠可能にした請求項４または５記載のボタン錠。
【請求項８】
前記ロックシャフトの後端部をシリンダ錠の内部に配置した請求項１記載のボタン錠。
【請求項９】
前記ロックシャフトの後端部にロックプレ−トの基端部を同動可能に連結し、該ロックプレ−トの先端部を縦枠とドア側のそれぞれに形成したロック孔に係脱可能に配置した請求項１記載のボタン錠。
【請求項１０】
前記ハウジング前面の各操作ボタンの近傍に、前記操作ボタンに設定または入力した暗証情報を表示可能にした請求項１記載のボタン錠。
【請求項１１】
前記ハウジング前面の各操作ボタンの近傍に表示窓を設けるとともに、前記中継部材を有底筒状に形成し、該中継部材のフランジに複数の暗証情報を等角度度位置に配置し、その暗証情報の一つを表示窓に表示可能にした請求項１０記載のボタン錠。
【請求項１２】
前記表示窓をハウジングと同心円上に配置し、その一の表示窓に表示された情報を始点に、環状に配置された表示窓に表示された情報を順に呼称して暗証情報を構成した請求項１１記載のボタン錠。
【請求項１３】
前記ハウジングを有底筒状に形成した請求項１記載のボタン錠。
【請求項１４】
前記操作ボタンの前端面に操作ピンを挿入可能なピン挿入孔を形成するとともに、前記操作ボタンの同軸上に配置した中継部材に前記操作ピンを挿入可能なガイド孔を形成し、前記操作ピンを介して前記記憶変更カムの角軸と中継部材の係合溝との係合を解除し、中継部材を回動可能にした請求項１記載のボタン錠。
【請求項１５】
前記ハウジングの周面に切欠溝を形成し、該切欠溝をハウジング内部に連通可能に設け、かつ該切欠溝を垂直下向きに配置した請求項１３記載のボタン錠。
【発明の詳細な説明】
【技術分野】
【０００１】
本発明は、例えばロッカ−、建具、郵便受け、貴重品ボックス等の錠前に好適で、小形軽量で安価に製作できるとともに、ハウジングの前面に複数の操作ボタンを環状に配置し、その操作ボタンの中央にドア錠やシリンダ錠に連係するロックシャフトを回動可能に配置し、またハウジングの周面に操作ハンドルを移動可能に配置し、ハウジングないし錠前を小形化しドアの美観を向上するとともに、操作ボタンから操作ハンドルの操作に亘る一連の操作を円滑かつ速やかに行なえるボタン錠に関する。
【背景技術】
【０００２】
近時、住宅や会社、駅舎、店舗、病院等のドア錠として、鍵の使用を省略したキーレスタイプの錠前が普及してきている。
前記キーレスタイプの錠前のうち、機械的な手法で施解錠作動する、いわゆるメカロック錠は、電気的な手法で施解錠作動する電子または電気錠に比べ、配線が不要で停電若しくは電源確保の心配がなく、したがって防御能力の向上とメンテナンスの軽減を図れ、しかも機械的強度が大きい等の利点があるため、その需要が増大している。
【０００３】
前記メカロック錠は一般にドアに取付けられ、そのケースフレームに暗証番号を設定する複数の押しボタンとドアハンドルを設け、またドアの内部に本締錠を設け、該本締錠を押しボタンの操作に連動させて施解錠する構造を備えている。
前記メカロック錠の中に、ケースフレームの表面に板状のブロックを取付け、前記ケースフレームの内部に複数の板体を積層配置し、該板体に複数のスリット若しくは通孔を形成し、そのスリット若しくは通孔にスリットを形成した略Ｓ字状の板状のボタンを正立または倒立させて挿入し、該ボタンの外側に円筒状のカバ−ボタンを被着し、所定の押しボタンを記憶状態または非記憶状態に設定して暗証番号を入力するものがある（例えば、特許文献１および２参照）。
【０００４】
しかし、前記のものは、ドアの外側に配置するケースフレームの表面に複数のカバ−ボタンを配置するため、多くの暗証情報を設定でき防御能力が向上する反面、ケースフレームが大形化して広い設置スペ−スを要し、その使用が広い設置スペ−スを有するドア等に制約される問題があった。
しかも、暗証番号の設定または変更時は、ブロックおよびケースフレームをドアから取り外してボタンを表出し、また隣接部品を分解して各ボタンの正立または倒立状態を組み換え、板体のスリットに挿入する煩雑な作業を要し、手間が掛かる上にボタンの正立または倒立状態が酷似して間違え易く、しかもケースフレームに各板体を順次積層配置し、これらを一体に固定しているため、ケースフレームと各板体とが分離不可分になって、それらの合理的な製作ないし量産化が難しく、また各部の形状寸法が制約されてケースフレームのデザインに自由度が得られない、等の問題があった。
【０００５】
このような問題を解決するメカロック錠として、メールボックスの前扉に略角柱状の押しボタン施錠装置を設け、この押しボタン施錠装置は、表面の長さ方向に複数の押しボタンを配置し、この押しボタンの内側に異形板状のタンブラを扉の内外方向へ移動可能に配置し、前記タンブラの一側に複数の凹凸部を形成したロック部材を前記施錠装置の長さ方向へ移動可能に配置するとともに、タンブラの他側にタンブラの押圧位置を保持するクリア作動体を配置し、前記押しボタンの最外側位置にロック部材を解錠方向へ移動させる操作部材と、タンブラの押圧位置を解除するクリアボタンを一列に配置し、暗証番号に対応する押しボタンを押圧し、かつその押圧位置を保持して、ロック部材の後端部に突設した掛止片をメールボックスの蓋部材の内面に設けた被掛止部材に掛け止め、蓋部材の閉塞状態をロックするようにしたものがある（例えば、特許文献３参照）。
【０００６】
しかし、前記押しボタン施錠装置は細長角柱状に形成されているため、薄型小物容器等の錠前に使用できるが、防御機能が押しボタンの個数に依存し、押しボタンの個数の抑制に限界があるため、前記施錠装置のコンパクト化に限界があった。
しかも、複数の押しボタンを横一列に配置する構成は、操作スペ−スが横長になり、それだけ操作の円滑性に障害になる一方、操作部材とクリアボタンを押しボタンと別個に構成しているため、それらの機能を察知されて悪戯され、防御機能が低下する等の問題があった。
【０００７】
そこで、前記問題を解決するメカロック錠として、ドアに設置するケースの表面に暗証情報を入力可能な複数の操作ボタンを押圧可能に配置し、該操作ボタンは中空筒状のボタンケ−スと、該ボタンケ−スに回動可能に挿入したボタンギヤとで構成し、前記ボタンケ−スの下部周面に複数の掛止片を突設するとともに、ボタンケ−スの下端に複数のドグを突設し、該ボタンケ−スをケース表面に設けたボタン挿通孔に挿入し、該挿通孔の内面に突設した複数のガイドリブに前記掛止片を係合し、ボタンギヤの中間部に複数のギヤと前記ドグに噛合可能なドグを設け、該ボタンギヤの下端の軸部をバックプレ−トの内部に突設した中継部材に回動可能に挿入し、ボタンケ−スの押圧時にボタンギヤを４５°づつ回動可能に設け、その回動角度ないし押圧回数に応じて０〜７の８個の暗証番号を付与している。
一方、ケース内部にターミナルギヤとリセットギヤを噛合可能に配置し、リセットギヤをボタンギヤに噛合可能に配置し、ボタンギヤの回動変位をリセットギヤに伝達するとともに、ターミナルギヤをクラッチシャフトに回動可能に支持し、該シャフトの角軸にターミナルギヤの角穴を係脱可能に嵌合し、かつクラッチシャフトの下端部のカム軸を制御カムの軸孔に係合し、該制御カムに制御板の係合爪と係脱可能な切欠溝を形成し、前記制御板にロックプレ−トを揺動可能に連結し、該ロックプレ−トの一端をドアハンドルに連係する駆動カムに係合可能に設け、ロックプレ−トの移動を拘束して施錠可能にしたボタン錠がある（例えば、特許文献４参照）。
【０００８】
しかし、このボタン錠は、押しボタンの個数を半減し、各押しボタンに複数の暗証番号を付与した分、ケースないしボタン錠のコンパクト化を図れるが、複数のギヤと複雑で異形のブロック本体やカバ−プレ−ト、およびバックプレ−トと制御板、ロックプレ−トや記憶解除リンク等の多数の部品を要して、構造が複雑で組み立てが煩雑になり、また操作ボタンの下部に操作ハンドルを回動可能に配置するとともに、操作ハンドルと同軸上の駆動カムにロックプレ−トの一端を連係させているため、錠ケースないしボタン錠が長尺になりドアの美観を損なう惧れがあり、しかも施解錠時は操作ボタンの操作後、手指を下方に移動して操作ハンドルを回動するため、一連の施解錠操作に円滑性を欠く等の問題があった。
【０００９】
また、他のボタン錠として、インナ−ドアの縦框に錠ケ−スを取付け、該錠ケ−スの上下位置に二つの操作ボタンを押圧可能に配置し、該操作ボタンは中空筒状のボタンケ−スと、該ボタンケ−スに回動可能に挿入した記憶ボタンとで構成し、前記ボタンケ−スの下部周面に複数の掛止片を突設し下端に複数のドグを突設して、該ボタンケ−スを錠ケース表面に設けたボタン挿通孔に挿入し、前記掛止片を挿通孔の内面に突設した複数のガイドリブに係合し、一方、前記記憶ボタンは周面にボタンケ−スのドグと噛合可能な複数のドグを突設し、操作ボタンの押圧時に記憶ボタンを４５°づつ回動可能に設け、その回動角度ないし押圧回数に応じて０〜７の８個の暗証番号を付与している。
前記記憶ボタンの角軸部の内部に凹孔が設けられ、該凹孔に複数の係合溝が形成され、該係合溝にロックカムの角軸を係合可能に挿入し、前記ロックカムの周面に係止溝を形成し、該係止溝にロックプレ−トの係止爪を係脱可能に設け、その係脱によってロックカムを回動または回動不可能にするとともに、ロックプレ−トの屈曲片に鎌を取付けた駆動カムを係合可能に配置し、該駆動カムに操作ハンドルを同動可能に連結した引き戸用鎌錠がある（例えば、特許文献５参照）。
【００１０】
しかし、この従来のボタン錠は、操作ボタンの個数を二個に低減し、各押しボタンに複数の暗証番号を付与した分、錠ケースないしボタン錠を細長にコンパクト化し得るが、操作ボタンの下部に操作ハンドルを回動可能に配置し、操作ハンドルと同軸上の駆動カムにロックプレ−トの一端を連係させ、操作ハンドルと同軸上の駆動カムにロックプレ−トの下端を連係させているため、錠ケースないしボタン錠が長尺化してドアの美観を損なう惧れがあり、しかも施解錠時は操作ボタンの操作後、手指を下方に移動して操作ハンドルを回動操作するため、一連の施解錠操作に円滑性を欠く問題があった。
【先行技術文献】
【特許文献】
【００１１】
【特許文献１】特公昭６２−５４９５１号公報
【特許文献２】特許第２８０３８０４号公報
【特許文献３】特開平１１−３０３４７２号公報
【特許文献４】特許第３５４２７９７号公報
【特許文献５】特許第４５０８７５８号公報
【発明の概要】
【発明が解決しようとする課題】
【００１２】
本発明はこのような問題を解決し、例えばロッカ−、建具、郵便受け、貴重品ボックス等の錠前に好適で、小形軽量で安価に製作できるとともに、ハウジングの前面に複数の操作ボタンを環状に配置し、その操作ボタンの中央にドア錠やシリンダ錠に連係するロックシャフトを回動可能に配置し、またハウジングの周面に操作ハンドルを移動可能に配置し、ハウジングないし錠前を小形化しドアの美観を向上するとともに、操作ボタンから操作ハンドルの操作に亘る一連の操作を円滑かつ速やかに行なえるボタン錠を提供することを目的とする。
【課題を解決するための手段】
【００１３】
請求項１の発明は、軸方向に変位し所定の情報を設定または入力可能な複数の操作ボタンと、該操作ボタンと同軸上に配置され、前記操作ボタンによる情報の設定または入力に応じて操作ボタンと係合し、かつ軸方向へ変位するとともに回動可能なボタンギアと、該ボタンギアと同期回動可能で端部に複数の係合溝を設けた中継部材と、前記ボタンギアと同期回動可能で、かつ係合溝に係脱可能な角軸と周面に凹部を形成した記憶変更カムと、前記操作ボタンとボタンギアと中継部材と記憶変更カムを収容するハウジングと、該ハウジングの前面に回動可能に設け施錠部材に連係させた操作ハンドルと、を備えたボタン錠において、前記ハウジングにロックシャフトを回動可能に設け、該ロックシャフトの周面に複数の凹部を形成し、該凹部と前記記憶変更カムの凹部との間にロックボ−ルを係合可能に収容するとともに、前記ハウジングのロックシャフトと同心円上に前記操作ボタンを等角度度位置に配置し、前記ハウジングの周面に沿って操作ハンドルを移動可能に配置し、かつ操作ハンドルとロックシャフトとを同期回動または回動不可能に設け、ハウジングないし錠前を小形化しドアの美観を向上するとともに、操作ボタンの近傍に操作ハンドルを配置して、操作ボタンの操作から操作ハンドルの操作に亘る一連の施解錠操作を円滑かつ速やかに行なえるようにしている。
【００１４】
請求項２の発明は、ロックシャフトの各凹部と、前記記憶変更カムの各凹部との間にそれぞれロックボ−ルを介在し、操作ハンドルとロックシャフトとを同期回動可能にして解錠可能にし、各凹部におけるロックボ−ルの介在によって操作ハンドルによる解錠操作を実行可能にし、解錠作動の正確性と安全性を確保するとともに、操作ハンドルの回動操作にロックシャフトの解錠作動を速やかに連係させ、一連の解錠操作を簡便に行なえるようにしている。
請求項３の発明は、ロックシャフトの凹部に配置したロックボ−ルに、少なくとも一つの記憶変更カムの周面を係合させ、操作ハンドルとロックシャフトとを回動不可能にして施錠可能にし、施錠操作ないし施錠作動を容易かつ速やかに行なえるようにしている。
請求項４の発明は、解錠時に少なくとも一つの操作ボタンを押圧操作し、該操作ボタンに連係する記憶変更カムを回動して施錠可能にし、一つの操作ボタンの押圧操作によって容易かつ速やかに施錠し得るようにしている。
【００１５】
請求項５の発明は、ロックシャフトの後端部を角柱状に形成し、該後端部を駆動カムと該駆動カムに連係するデットボルトを備えたドア錠のカム孔に係合可能に設け、またはロックシャフトの後端部に連結板を連結し、該連結板を前記ドア錠のカム孔に係合可能に設け、ロックシャフトの後端部をドア錠に多用されている角芯棒として利用可能に設け、またはロックシャフトに連結板を連結して、ボタン錠とドア錠との新たな連係を実現するようにしている。
請求項６の発明は、解錠時のドア錠の閉扉前に少なくとも一つの操作ボタンを押圧操作し、該操作ボタンに連係する記憶変更カムの回動を介してドア錠を施錠後、ドアを閉扉して施錠可能にし、ボタン錠のいわゆる自動施錠機能を簡便に実現可能にしている。
請求項７の発明は、解錠時のドア錠を閉扉し操作ハンドルを回動後、少なくとも一つの操作ボタンを押圧操作し、該操作ボタンに連係する記憶変更カムの回動を介してドア錠を施錠可能にし、ボタン錠のいわゆる本締錠機能を簡便に実現可能にしている。
請求項８の発明は、ロックシャフトの後端部をシリンダ錠の内部に配置し、該後端部をシリンダ錠内部のロ−タリ−シリンダとして利用可能に設け、ボタン錠のシリンダ錠への連係を実現可能にして、シリンダ錠の防御能力を強化し得るようにしている。
請求項９の発明は、ロックシャフトの後端部にロックプレ−トの基端部を同動可能に連結し、該ロックプレ−トの先端部を縦枠とドア側のそれぞれに形成したロック孔に係脱可能に配置し、ロックシャフトの後端部に閂として機能するロックプレ−トを連結して、閂による簡単な錠前への連係を実現可能にして、閂を有する錠前の防御能力を強化し得るようにしている。
【００１６】
請求項１０の発明は、ハウジング前面の各操作ボタンの近傍に、前記操作ボタンに設定または入力した暗証情報を表示可能にし、操作ボタンに設定または入力した暗証情報を容易に確認可能にし、施解錠操作の正確性と安全性を図るようにしている。
請求項１１の発明は、ハウジング前面の各操作ボタンの近傍に表示窓を設けるとともに、前記中継部材を有底筒状に形成し、該中継部材のフランジに複数の暗証情報を等角度度位置に配置し、その暗証情報の一つを表示窓に表示可能にし、簡単な構造によって暗証情報を表示可能にしている。
請求項１２の発明は、表示窓をハウジングと同心円上に配置し、その一の表示窓に表示された情報を始点に、環状に配置された表示窓に表示された情報を順に呼称して暗証情報を構成し、特定の表示窓の暗証情報を始点に暗証情報を呼称させ、操作ボタンと暗証情報の関係を厳格に規定し、その防御能力を強化するようにしている。
【００１７】
請求項１３の発明は、ハウジングを有底筒状に形成し、ハウジングないしボタン錠の小形化を図り、建具等の小形のドアに対する利用を促すとともに、ドア表面の外観を向上するようにしている。
請求項１４の発明は、操作ボタンの前端面に操作ピンを挿入可能なピン挿入孔を形成するとともに、前記操作ボタンの同軸上に配置した中継部材に前記操作ピンを挿入可能なガイド孔を形成し、前記操作ピンを介して前記記憶変更カムの角軸と中継部材の係合溝との係合を解除し、中継部材を回動可能にして、操作ピンによる暗証情報入力を実現し、その防御能力を向上するようにしている。
請求項１５の発明は、ハウジングの周面に切欠溝を形成し、該切欠溝をハウジング内部に連通可能に設け、かつ該切欠溝を垂直下向きに配置し、ハウジング内に浸入する雨水を切欠溝から排出し、錠前の故障や機能低下を防止するようにしている。
【発明の効果】
【００１８】
請求項１の発明は、ハウジングにロックシャフトを回動可能に設け、該ロックシャフトの周面に複数の凹部を形成し、該凹部と前記記憶変更カムの凹部との間にロックボ−ルを係合可能に収容するとともに、前記ハウジングのロックシャフトと同心円上に前記操作ボタンを等角度度位置に配置し、前記ハウジングの周面に沿って操作ハンドルを移動可能に配置し、かつ操作ハンドルとロックシャフトとを同期回動または回動不可能に設けたから、ハウジングないし錠前を小形化しドアの美観を向上するとともに、操作ボタンの近傍に操作ハンドルを配置して、操作ボタンの操作から操作ハンドルの操作に亘る一連の施解錠操作を円滑かつ速やかに行なうことができる。
請求項２の発明は、ロックシャフトの各凹部と、前記記憶変更カムの各凹部との間にそれぞれロックボ−ルを介在し、操作ハンドルとロックシャフトとを同期回動可能にして解錠可能にしたから、各凹部におけるロックボ−ルの介在によって操作ハンドルによる解錠操作を実行可能にし、解錠作動の正確性と安全性を確保するとともに、操作ハンドルの回動操作にロックシャフトの解錠作動を速やかに連係させ、一連の解錠操作を簡便に行なうことができる。
【００１９】
請求項３の発明は、ロックシャフトの凹部に配置したロックボ−ルに、少なくとも一つの記憶変更カムの周面を係合させ、操作ハンドルとロックシャフトとを回動不可能にして施錠可能にしたから、施錠操作ないし施錠作動を容易かつ速やかに行なえるようにしている。
請求項４の発明は、解錠時に少なくとも一つの操作ボタンを押圧操作し、該操作ボタンに連係する記憶変更カムを回動して施錠可能にし、一つの操作ボタンの押圧操作によって容易かつ速やかに施錠することができる。
請求項５の発明は、ロックシャフトの後端部を角柱状に形成し、該後端部を駆動カムと該駆動カムに連係するデットボルトを備えたドア錠のカム孔に係合可能に設け、またはロックシャフトの後端部に連結板を連結し、該連結板を前記ドア錠のカム孔に係合可能に設けたから、ロックシャフトの後端部をドア錠に多用されている角芯棒として利用可能に設け、またはロックシャフトに連結板を連結して、ボタン錠とドア錠との新たな連係を実現することができる。
【００２０】
請求項６の発明は、解錠時のドア錠の閉扉前に少なくとも一つの操作ボタンを押圧操作し、該操作ボタンに連係する記憶変更カムの回動を介してドア錠を施錠後、ドアを閉扉し施錠可能にしたから、ボタン錠のいわゆる自動施錠機能を簡便に実現することができる。
請求項７の発明は、解錠時のドア錠を閉扉し操作ハンドルを回動後、少なくとも一つの操作ボタンを押圧操作し、該操作ボタンに連係する記憶変更カムの回動を介してドア錠を施錠可能にしたから、ボタン錠のいわゆる本締錠機能を簡便に実現することができる。
請求項８の発明は、ロックシャフトの後端部をシリンダ錠の内部に配置したから、該後端部をシリンダ錠内部のロ−タリ−シリンダとして利用可能に設け、ボタン錠のシリンダ錠への連係を実現可能にして、シリンダ錠の防御能力を強化することができる。
請求項９の発明は、ロックシャフトの後端部にロックプレ−トの基端部を同動可能に連結し、該ロックプレ−トの先端部を縦枠とドア側のそれぞれに形成したロック孔に係脱可能に配置したから、ロックシャフトの後端部に閂として機能するロックプレ−トを連結して、閂による簡単な錠前への連係を実現可能にし、閂を有する錠前の防御能力を強化することができる。
【００２１】
請求項１０の発明は、ハウジング前面の各操作ボタンの近傍に、前記操作ボタンに設定または入力した暗証情報を表示可能にしたから、操作ボタンに設定または入力した暗証情報を容易に確認でき、施解錠操作の正確性と安全性を図ることができる。
請求項１１の発明は、ハウジング前面の各操作ボタンの近傍に表示窓を設けるとともに、前記中継部材を有底筒状に形成し、該中継部材のフランジに複数の暗証情報を等角度度位置に配置し、その暗証情報の一つを表示窓に表示可能にしたから、簡単な構造によって暗証情報を表示することができる。
請求項１２の発明は、表示窓をハウジングと同心円上に配置し、その一の表示窓に表示された情報を始点に、環状に配置された表示窓に表示された情報を順に呼称して暗証情報を構成したから、特定の表示窓の暗証情報を始点に暗証情報を呼称させ、操作ボタンと暗証情報の関係を厳格に規定し、その防御能力を強化することができる。
【００２２】
請求項１３の発明は、ハウジングを有底筒状に形成したから、ハウジングないしボタン錠の小形化を図り、建具等の小形のドアに対する利用を促すとともに、ドア表面の外観を向上することができる。
請求項１４の発明は、操作ボタンの前端面に操作ピンを挿入可能なピン挿入孔を形成するとともに、前記操作ボタンの同軸上に配置した中継部材に前記操作ピンを挿入可能なガイド孔を形成し、前記操作ピンを介して前記記憶変更カムの角軸と中継部材の係合溝との係合を解除し、中継部材を回動可能にしたから、操作ピンによる暗証情報入力を実現し、その防御能力を向上することができる。
請求項１５の発明は、ハウジングの周面に切欠溝を形成し、該切欠溝をハウジング内部に連通可能に設け、かつ該切欠溝を垂直下向きに配置したから、ハウジング内に浸入する雨水を切欠溝から排出し、錠前の故障や機能低下を防止することができる。
【図面の簡単な説明】
【００２３】
【図１】本発明をロッカ−に適用した実施形態を示す正面図である。
【図２】図１のボタン錠の取付け状態を示す断面図である。
【図３】図１のボタン錠の組み付け後の状況を示す斜視図である。
【図４】図３のＡ−Ａ線に沿う拡大断面図で、その取付け状態を付記している。
【図５】本発明の要部を分解して示す斜視図である。
【図６】図５の要部を拡大して示す斜視図で、操作ハンドルとハウジング、操作ボタンとボタンギアを示している。
【００２４】
【図７】本発明に適用した操作ハンドルを拡大して示す正面図である。
【図８】図７の操作ハンドルのＢ−Ｂ線に沿う断面図である。
【図９】図７の操作ハンドルの背面図である。
【図１０】本発明に適用したハウジングの前面状況を示す正面図である。
【図１１】図１０のＣ−Ｃ線に沿う断面図である。
【図１２】図１０のＤ−Ｄ線に沿う断面図である。
【図１３】図１０のハウジングの背面図である。
【００２５】
【図１４】本発明に適用した操作ボタンの正面図である。
【図１５】図１４の操作ボタンの平面図である。
【図１６】図１５のＥ−Ｅ線に沿う断面図である。
【図１７】図１４の操作ボタンの底面図である。
【図１８】本発明に適用したボタンギアの正面図である。
【図１９】図１８のボタンギアの平面図である。
【図２０】図１９のＦ−Ｆ線に沿う断面図である。
【００２６】
【図２１】図１８のボタンギアの底面図である。
【図２２】本発明に適用した中継部材の正面図で、そのフランジに表示シ−ルを取付けている。
【図２３】図２２の中継部材の平面図である。
【図２４】図２２の中継部材の底面図である。
【図２５】図２４のＧ−Ｇ線に沿う断面図である。
【図２６】図２２の表示シ−ルを示す正面図である。
【００２７】
【図２７】本発明に適用した記憶変更カムを示す正面図である。
【図２８】図２７の右側面図である。
【図２９】図２８のＨ−Ｈ線に沿う断面図である。
【図３０】図２７の左側面図である。
【図３１】図５の要部を拡大して示す斜視図で、中継部材と仕切盤、記憶変更カムとバネ受、カムスプリングを示している。
【図３２】前記仕切盤を拡大して示す正面図である。
【図３３】図３２の仕切盤を正面方向から見た側面図である。
【図３４】図３２の仕切盤を左側方から見た側面図である。
【図３５】図３２の仕切盤の背面図である。
【００２８】
【図３６】図３２のＩ−Ｉ線に沿う断面図である。
【図３７】図３２のＪ−Ｊ線に沿う断面図である。
【図３８】図５の要部を拡大して示す斜視図で、ロックシャフトとバックカバ−、ロックプレ−ト等を示している。
【図３９】図３８のＫ−Ｋ線に沿う拡大断面図である。
【図４０】本発明に適用したボタン錠の仕切盤内における断面図で、ロックシャフトの凹部と記憶変更カムの凹部との間にロックボ−ルが介在している解錠状態を示している。
【図４１】本発明に適用したボタン錠の仕切盤内における断面図で、ロックシャフトの凹部に収容したロックボ−ルに、各記憶変更カムの周面が係合している施錠状態を示している。
【００２９】
【図４２】本発明の応用形態示す斜視図で、（ａ）は自動施錠機能を奏する箱錠に本発明のボタン錠を適用しており、（ｂ）は自動施錠機能を奏するチュ−ブラ錠に本発明のボタン錠を適用している。
【図４３】本発明の別の応用形態示す斜視図で、（ａ）は本締錠機能を奏する箱錠に本発明のボタン錠を適用しており、（ｂ）は本締錠機能を奏するチュ−ブラ錠に本発明のボタン錠を適用している。
【図４４】本発明の他の実施形態を示す斜視図である。
【図４５】図４４の正面図で、若干縮小して示している。
【図４６】図４５の背面図である。
【図４７】図４４の縦断面図である。
【発明を実施するための形態】
【００３０】
以下、本発明をロッカ−の錠前に適用した図示の実施形態について説明すると、図１乃至図４３において１は事務所等の屋内に設置したロッカ−で、その開口側周縁を縦枠２と横枠（図示略）とで矩形に区画し、この開口部にドア３の基端部が蝶番４を介して縦枠２に回動可能に連結され、この他側端部のドア３の中高位置にメカロック錠であるボタン錠５が設置されている。図中、２ａ，３ａは縦枠２およびドア３の端縁を内側に屈曲した屈曲片である。
【００３１】
前記ボタン錠５は図３のように略円筒状に形成され、その前部に有底筒状のハウジング６と操作ハンドル７とを内外二重に嵌合して配置し、該操作ハンドル７にロックシャフト８を同期回動可能に取付けている。
すなわち、前記ハウジング６と操作ハンドル７とは亜鉛合金ダイカストによって略同形の有底筒状に成形され、前記ハウジング６の中央にロックシャフト８の前半部を挿入し、かつその前端部の角軸部９を操作ハンドル７の内側中央に形成した角孔１０に係合している。
前記操作ハンドル７の外側からビス１１がロックシャフト８の前端部のネジ孔１２にねじ込まれ、該操作ハンドル７をロックシャフト８に固定するとともに、ハウジング６をロックシャフト８の前半部に回動自在に取付けている。
【００３２】
前記操作ハンドル７の前端部の有底部に、大径の複数の操作窓１３が同心円上の等角度度位置に配置され、実施形態では４個の操作窓１３が形成されていて、その中央に凸部１４が内側に突設され、該凸部１４に前記角孔１０が形成されている。
前記角孔１０の底部にビス孔１５が形成され、該ビス孔１５の外側口縁部に凹孔１６が形成され、前記ビス１１の頭部を着座可能にしている。図中、１７は操作ハンドル７の外周面に軸方向に形成した凸状リブである。
【００３３】
前記ハウジング６の前端部の有底部に、前記操作窓１３より小径の複数のボタン挿入孔１８が同心円上に等角度度位置に配置され、実施形態では４個のボタン挿入孔１８が前記操作窓１３の対応位置に形成されていて、その中央にボタン挿入孔１８より若干小径のセンタ−孔１９が形成されている。
前記ボタン挿入孔１８の内側口縁部に円管状のガイドリング２０が突設され、該リング２０の内周面に複数のガイドリブ２１が管軸方向に突設され、該ガイドリブ２１に後述する掛止片を介して操作ボタン２２が軸方向へ移動可能に挿入されている。
【００３４】
前記ガイドリブ２１の先端部は円周方向にテ−パ状に形成され、該テ−パ面に後述するボタンギアのヘリカルカムフェ−スが係合可能に配置され、ボタンギアが原位置へ復帰する際、それらを係合させてガイドリブ２１，２１の１ピッチ相当分、ボタンギアを回動可能にしている。
図中、２３はボタン挿入孔１８の外側開口縁部に突設したリングエッヂで、操作ボタン２２の開口側周面に形成した後述の掛止片の上端面と係合可能に形成され、操作ボタン２２を抜け止め可能にしている。
【００３５】
前記ハウジング６の内周面とガイドリング２０との間に、地紙形状の暗証情報表示窓２４が形成され、該表示窓２４に後述する中継部材けに設けた暗証情報を表示可能にしている。
図中、２５は前記ハウジング６の内周面の等角度位置に突設した略三角柱状の複数の係止突起で、ガイドリング２０，２０の間に配置され、相対する一組の係止突起２５の下端部に凸部２６が突設され、該凸部２６と係止突起２５の下端面にネジ孔２７，２８が形成されている。
この他、図中、２９は前記ハウジング６の開口側周面に形成した水抜き用の切欠溝で、ハウジング６の取付け時に垂直下向きに位置付られ、ハウジング６内に浸入した雨水等を排出可能にしている。
【００３６】
前記操作ボタン２２は耐摩耗性の合成樹脂によって有底筒状に成形され、その開口側周面に複数の掛止片３０を突設し、開口端面に鋸歯状の複数のドグ３１を突設している。
実施形態では８個のガイドリブ２１と掛止片３０とが等角度度位置に配置され、該掛止片３０と同角度位置にドグ３１が突設され、該ドグ３１に後述するボタンギアのドグが噛合可能に突設されている。
図中、３２は操作ボタン２２の底部に形成したピン挿入孔で、暗証情報の設定および変更時に操作具である操作ピンが差し込まれる。
【００３７】
前記ボタンギア３３は亜鉛合金ダイカストによってリング状に成形され、その内側に角孔３４が形成され、その外側端面に鋸歯状のドグ３５が突設されていて、前記ドグ３１と噛合可能にされている。
また、ボタンギア３３の外周面に前記ガイドリブ２１と係合可能な複数の係合爪３６が突設され、該係合爪３６の上端面はヘリカル状に形成され、該ヘリカルカムフェ−ス３６ａを前記ガイドリブ２１のテ−パ面に係合して、ボタンギア３３を回動可能にしている。
図中、３７はボタンギア３３のドグ３５と他側端部に突設したリング状の凸部で、該凸部３７にボタンスプリング３８の一端が着座している。
【００３８】
前記ボタンスプリング３８は円錐コイルスプリングで構成され、その大径側の他端を中継部材３９内に着座し、その弾性によってボタンギア３３と操作ボタン２２を前部側へ付勢し、該操作ボタン２２をハウジング６の前部に突出させている。
前記中継部材３９は亜鉛合金ダイカストによって有底筒状に成形され、その開口縁部にフランジ４０が形成され、該フランジ４０上に複数の暗証情報４１を記した合成樹脂製の表示シ−ル４２が接着されている。
実施形態では４個の表示窓２４に暗証情報４１の一部を設定し、それらを組み合わせて４桁の暗証番号を設定可能にしており、これらを「１」から「８」の８個の暗証数字を使用した４桁の暗証番号に構成しているが、「１」から「８」の代わりに、「０」から「７」の８個の暗証数字を採用することも可能である。
【００３９】
前記表示シ−ル４２はフランジ４０と同幅のリング状に形成され、その円周上の等角度位置に１〜８の数字からなる８つの暗証情報４１が印刷され、その複数個所に設けた切欠溝４３を、フランジ４０に突設した位置決め用の複数の凸部４４に係合して接着している
この場合、暗証情報４１は実施形態のような数字に限らず、アルファベット文字または平仮名若しくは片仮名、ローマ数字等を用いることも可能であり、また表示シ−ル４２の代わりに、フランジ４０に暗証情報４１を直接刻設することも可能である。
図中、４５は中継部材３９の底部外面に設けた凹状の位置決めマ−クで、暗証情報４１の「１」の対応位置に設けている。
【００４０】
前記中継部材３９の内側底部に角柱状の支持ガイド４６が突設され、該支持ガイド４６がボタンギア３３の角孔３４に係合し、支持ガイド４６ないし中継部材３９がボタンギア３３と同期回動可能に設けられている。
前記支持ガイド４６の内部にテ−パ状のガイド孔４７が形成され、その内部に後述する操作ピンを挿入可能にしている。前記中継部材３９のフランジ４０と他側端部に軸筒部４８が突設され、該軸筒部４８は後述する仕切盤の通孔に回動可能に挿入され、その内側に凹孔４９が形成されていて、該凹孔４９の底部の中央に小径側のガイド孔４７が開口されている。
【００４１】
前記凹孔４９の内面の等角度位置、実施形態では４５°位置に８個の係合溝５０が形成され、また前記凹孔４９に記憶変更カム５１の角軸５２が挿入され、該角軸５２が前記係合溝５０に係合可能に配置されていて、操作ボタン２２に入力された暗証情報をボタンギア３３および中継部材３９を介して、記憶変更カム５１に記憶可能にしている。
【００４２】
前記記憶変更カム５１は亜鉛合金ダイカストによって肉厚の略円板状に成形され、その一側に菱形断面の角軸５２が形成され、他側面に軸部５３が突設されている。
前記記憶変更カム５１の周面で角軸５２の角部の近傍に、緩やかな凹曲面状の凹部５４が形成され、該凹部５４に鋼球等の市販のロックボ−ル５５が回転自在に収容されている
前記仕切盤５６は亜鉛合金ダイカストによって異形の肉厚板状に形成され、その内側の平坦な平滑面５６ａを前記係止突起２５に係合して配置し、ハウジング６の後端部を閉塞可能にしている。
【００４３】
前記平滑面５６ａに複数の貫通孔５７が等角度度位置に形成され、その内側に若干小径の軸孔５８が形成され、これらは前記ハウジング６のボタン挿入孔１８とセンタ−孔１９に対向して形成され、このうち貫通孔５７に中継部材３９の軸筒部４８が回動可能に挿入され、軸孔５８にロックシャフト８が回動可能に挿入されている。
図中、５９は仕切盤５６に形成した一対のビス孔で、前記ネジ孔２７，２７に対応して形成され、６０は仕切盤５６に形成した一対の切欠部で、前記凸部２６を係合可能に収容し、仕切盤５６を位置決め可能にしている。
【００４４】
前記仕切盤５６の外側部は図３１のように異形に凹凸形成され、その貫通孔５７の外側に若干大径の軸孔６１が形成され、該軸孔６１に前記記憶変更カム５１を回動可能に収容している。
前記軸孔５８の外側に若干大径の凹孔６２が形成され、該凹孔６２にロックシャフト８の中間部の軸筒部６３を回動可能に収容している。
前記軸孔６１，６１と凹孔６２とを区画する仕切壁に貫通孔６３を十字状に貫通形成し、該貫通孔６３にロックボ−ル５５を回転自在に収容している。
図中、６４は軸孔６１の外側に形成した凹状段部、６５はビス孔５９の周辺を切欠いて薄肉に形成した凹部である。
【００４５】
前記ロックシャフト８は亜鉛合金ダイカストによって段付き棒状に形成され、その中間部に大径の軸筒部６６が形成され、該軸筒部６６の周面に複数の浅底の凹部６７が等角度位置に形成され、該凹部６７と前記記憶変更カム５１の凹部５４との間に、ロックボ−ル５５が回転自在に収容されている。
前記ロックボ−ル５５は記憶変更カム５１ないし中継部材３９の回動角度によって、ロックシャフト８の凹部６７に係脱可能に配置され、各記憶変更カム５１の凹部５４が軸筒部６６の凹部６７に対向し、ロックボ−ル５５が凹部５４側へ移動可能になると、ロックボ−ル５５が凹部６７との係合を解除されて解錠状態を形成し、ロックシャフト８ないし操作ハンドル７が回動可能になる。この状況は図４０のようである。
【００４６】
一方、記憶変更カム５１ないし中継部材３９の回動角度によって、少なくとも一つの記憶変更カム５１の凹部５４が軸筒部６６の対応する凹部６７との対向位置から移動すると、ロックボ−ル５５が凹部６７と記憶変更カム５１の周面に係合して移動を拘束されて施錠状態を形成し、ロックシャフト８ないし操作ハンドル７が回動不可能になる。この状況は図４１のようである。
【００４７】
前記ロックシャフト８の中間部周面に環状溝６８が形成され、該環状溝６８にＯリング
６９が装着され、またロックシャフト８の軸端部に角軸７０が形成され、その内部にネジ
孔７１が形成されていて、この軸端部をカバプレ−ト７２に突設した固定軸７３の貫通孔
７４に挿入している。
前記カバプレ−ト７２は亜鉛合金ダイカストによって円板状に成形され、該円板部をハウジング６の後端部に取付け、その開口部を閉塞可能にしている。
【００４８】
前記カバプレ−ト７２の内側に複数の凹孔７５が等角度位置に形成され、該凹孔７５に円錐コイル状のカムスプリング７６の小径側が着座し、その大径側が記憶変更カム５１の軸部５３に取付けた合成樹脂製のバネ受７７に着座していて、その弾性によって記憶変更カム５１を前方へ付勢している。図中、７７ａはバネ受７７に形成された透孔で、前記記憶変更カム５１の軸部５３を挿入可能にしている。
【００４９】
前記固定軸７３はバックプレ−ト７２と一体成形され、その外周面にネジ部７８が形成され、該ネジ部７８の両側周面に互いに平行な平坦面７９が形成され、バックプレ−ト７２をドア３に設けた取付け孔３ａに位置決め可能にしている。
図中、８０はバックプレ−ト７２に形成した一対のビス孔で、該ビス孔８０にビス８１を挿入し、これを前記ハウジング６のネジ孔２８にねじ込み可能にしている。
【００５０】
前記固定軸７３の端部に係止爪８２が突設され、該係止爪８２に角軸７０に装着したストップワッシャ−８３の係止部８４を係合してロックシャフト８の回動角度を規制している。
図中、８５はロックナットで、前記取付け孔３ａに挿入した固定軸７３のネジ部７８にねじ込んで、ボタン錠５をドア３の表面に固定可能にしている。８６は鋼板製のロックプレ−トで、その一端に角軸７０に嵌合可能な角孔８７が形成され、その他端部を縦枠２とドア３の屈曲片２ａ，３ａに形成した縦長のロック孔８８，８９に係入し、ドア２をロック可能にしている。
【００５１】
この他、図中、９０はワッシャ−、９１はバネ座金、９２はネジ孔７１にねじ込み可能なボルトまたはビス、９３は前記ネジ孔２８にねじ込むビスである。９４は前述した操作具である操作ピンで、ピン挿入孔３２およびガイド孔４７に挿入可能にされ、その一端に把持部９５が設けられている。
【００５２】
なお、前述の実施形態ではロックシャフト８の後端部にロックプレ−ト８６を取付け、ロックプレ−ト８６をドア３の閂として機能させているが、ロックプレ−ト８６の代わりに、例えば図４２（ａ），（ｂ）のようにロックシャフト８の後端部を角柱状に形成して角芯棒８ａに形成し、またはロックシャフト８の後端部に別設の角芯棒（図示略）を連結して、前記角芯棒８ａをロックシャフト８と同期回動可能に設け、該角芯棒８ａをドア３の内部に埋設するドア錠の箱錠９５またはチュ−ブラ錠９６内の錠機構の駆動カム９７のカム孔９７ａに係合して自動施錠錠として使用することも可能である。
【００５３】
図中、９８はボタン錠５と他側のドアに回動可能に取付けたレバ−ハンドルで、その先端の角孔９９にカム孔９７ａから突出し角芯棒８ａの先端部を係合可能にしており、１００は駆動カム９７に連動して出没可能なデットボルトである。
すなわち、前記箱錠９５またはチュ−ブラ錠９６を解錠して開扉後、閉扉前に操作ボタン２２の少なくとも一つを押圧し、後述のようにボタン錠５を施錠状態にして閉扉し、デットボルト１００を枠体のトロヨケ（共に図示略）に係合し、閉扉と同時に自動的に施錠可能にすることも可能である。
【００５４】
また、ボタン錠５をドア錠である箱錠１０１またはチュ−ブラ錠１０２に使用することも可能である。この場合は、ロックシャフト８の後端部に扁平な連結板１０３の一端をピン止め等で固定し、その先端部を箱錠１０１またはチュ−ブラ錠１０２内の錠機構の駆動カム１０４，１０５のカム孔１０４ａ，１０５ａに係合し、その端部をドアの他側に回動可能に取付けたレバ−ハンドル１０６の先端の係合孔１０７に係合しており、１０８，１０９は駆動カム１０４，１０５に連動して出没可能なデットボルトである。
図中、１１０はボタン錠５の背面工に突設した一対の位置決めピン、１１１，１１２は箱錠１０１またはチュ−ブラ錠１０２に形成した一対のピン孔で、位置決めピン１１０を挿入可能にしている。
【００５５】
すなわち、前記箱錠１０１またはチュ−ブラ錠１０２を解錠して開扉し、その後に閉扉する前に操作ボタン２２を閉回動して連結板１０３を同動させ、デットボルト１０８，１０９を突出させて枠体のトロヨケ（共に図示略）に係合した後、操作ボタン２２の少なくとも一つを押圧して後述のようにボタン錠５を施錠状態にし、ロックシャフト８ないし連結板１０３の回動を拘束して、デットボルト１０８，１０９の係合を保持可能にし、箱錠１０１またはチュ−ブラ錠１０２を本締錠として使用することも可能である。
この場合、操作ボタン２２の押圧操作時期を変えることによって、箱錠９５またはチュ−ブラ錠９６を本締錠として、また箱錠１０１またはチュ−ブラ錠１０２を自動施錠として使用することも可能である。
【００５６】
更に、ロックシャフト８をキーレス型のシリンダ錠のロータリシリンダとして機能させ、キ−操作の代わりに、操作ボタン２２を操作してロックシャフト８ないしロータリシリンダを回動させ、これを操作ハンドル７と同期回動可能に設けて、電気系統を排除したメカロックタイプのキーレス型シリンダ錠に適用することも可能である。
【００５７】
このように構成した本発明のボタン錠５は、複数の操作ボタン２２を環状に配置しているから、複数の操作ボタンを縦１列若しくは横１列に配置し、または縦複列に配置するものに比べて、ハウジング６の小形軽量化を図れ、その設置スペ−スのコンパクトを図れてドア３等の外観を向上することができる。
また、複数の操作ボタン２２には８種類の暗証情報を設定ないし入力可能にしているから、１個の操作ボタン２２に単一の暗証情報を設定ないし入力可能にするものに比べて、多数の暗証情報を得られ、かつその選択範囲も広がって防御能力の向上を図れ、その分操作ボタン２２の低減を図れ前記コンパクト化を増進し得る。
【００５８】
また、本発明のボタン錠５は、円筒状の操作ハンドル７を本体１の外側の同心円上に配置しているから、操作ハンドルを本体の上下側端部若しくは左右側端部に配置するものに比べて、本体の長尺ないし大形化を防止し小形軽量化を図れる。
特に、この効果は、複数の操作ボタン２２を環状に配置し、その外側の同心円上に操作ハンドル７を配置する場合は、操作ボタン２２の操作後、手指を速やかに移動して操作ハンドル７を操作し得るから、操作ボタンの離隔位置に操作ハンドルを配置したものに比べて、操作ボタン２２の操作から操作ハンドルの操作に亘る一連の操作を簡便かつ速やかに行なえる。
しかも、操作ハンドル７を操作ボタン２２の外側に配置することによって、操作ハンドル７の大径化を図れるから、操作ハンドル７の操作性が向上する。
【００５９】
また、本発明のボタン錠５は、操作ボタン２２の後方に施解錠に実質的に機能するロックシャフト８を配置し、該ロックシャフト８を操作ボタン２２の操作によって直接かつ簡便に作動させ、操作ボタンの変位を多部材を介して操作ボタンと離隔した角芯棒（図示略）に連係する従来の構造に比べて、部品点数の低減と構造ないし作動の簡素化を図れ、安価かつ小形軽量化を増進する。
【００６０】
次に、本発明のボタン錠５を製作する場合は、主な構成部材であるハウジング６と操作ハンドル７を亜鉛合金ダイカストによって有底円筒形に成形し、ロックシャフト８と仕切盤５６とカバプレ−ト７２を亜鉛合金ダイカストによって成形し、ボタンギヤ３３と中継部材３９と記憶変更カム５１を亜鉛合金ダイカストによって成形し、操作ボタン２２を合成樹脂成形し、それらの機械加工を可及的に少なくしたから、これらを均質かつ安価に製作し得る。
その際、ビス１１、８１、９３をメートル若しくはウイットウォースネジの代わりにセルフタッピングスクリュで構成し、これらに対応するネジ孔１２、２８、２７をネジ加工不要なタップ孔に構成すれば、加工費が節減され一層安価に製作し得る。
【００６１】
前記構成部材を用いてボタン錠５を組立てる場合は、例えば前面を下側にしてハウジング６を作業台上に載せ、その各操作窓１３に操作ボタン２２を挿入し、その開口縁部の内側に掛止片３０を掛け止める。そして、この操作ボタン２２上にボタンギヤ３３を収容し、そのドグ３５を操作ボタン２２のドグ３１に噛合させる。
この後、ボタンギヤ３３の凸部３７上にボタンスプリング３８の小径部を載置し、該スプリング３８の大径部に中継部材３９を被着し、該中継部材３９の内部にボタンスプリング３８を収容する。
【００６２】
次に、各中継部材３９を組み込み時に解錠位置にセットし、この後の暗証情報の設定または変更時の基準ないし初期位置とする。
前記中継部材３９の解錠位置の組み込みは、中継部材３９の底部周面に設けた位置決めマ−ク４５を、図１０のように対応する表示窓２４の中央に位置付けて行なう。
実施形態の場合は図２３のように、位置決めマ−ク４５の直近に暗証情報の「１」が位置し、この「１」が表示窓２４に表示される。
そして、各表示窓２４に「１」が表示され、つまり各中継部材３９が初期位置に位置決めされたところで、平滑面５６ａを中継部材３９に向けて仕切盤５６をハウジング６内に挿入し、その平滑面５６ａに設けた貫通孔２７を中継部材３９の底部に突設した軸筒部４８に嵌合し、ビス９３をハウジング６のネジ孔２７にねじ込んで、仕切盤５６をハウジング６に取付ける。
【００６３】
前記仕切盤５６の取付け後は、各貫通孔５７に中継部材３９の軸筒部４８が挿入され、その軸筒部４８の表面に凹孔５２ないし係合溝５０が表出していて、前記貫通孔５７に連通する軸孔６１に角軸５２を下向きにして記憶変更カム５１を挿入する。
その際、下側に位置する角軸５２を係合溝５０に係合し、角軸５２の短小側の対角線に沿う角部を仕切盤５６の中心に向けて配置し、上側に表出する凹部５４を仕切盤５６の中心に向けて配置し、かつこの凹部５４を中心側の貫通孔６３に対向して配置する。
そして、中継部材３９の軸孔５８にロックシャフト８を挿入し、その大径の軸筒部６６を凹孔６２に係合し、その周面の凹部６７と前記凹部５４との間にロックボ−ル５５を挿入する。この状況は図４０のようである。
【００６４】
こうして挿入したロックボ−ル５５は、凹部６７と凹部５４との間を僅かに移動可能に収容され、ロックボ−ル５５が凹部５４側へ移動すると、その他端部が凹部６７から離れて凹部６７との係合を解除し、ロックシャフト８とその先端の角軸部９に係合した操作ハンドル７とが同期回動可能になる。
すなわち、操作ハンドル７を回動操作すると、該ハンドル７がロックシャフト８と同期回動し、ロックシャフト８の後端部に連結するロックプレ−ト８６を同動させてドア３を開閉可能にする。
【００６５】
この後、記憶変更カム５１の軸部５３にバネ受７７の透孔７７ａを挿入し、該バネ受７７にカムスプリング７６の大径側を着座し、その小径側にカバプレ−ト７２を載置し、かつ該プレ−ト７２に突設した固定軸７３の貫通孔７４にロックシャフト８を挿入後、ビス８１をカバプレ−ト７２の外側からビス孔８０に挿入し、これをハウジング６内部のネジ孔２８にねじ込んで、カバプレ−ト７２をハウジング６の後端部に固定する。
【００６６】
次に、ハウジング６の前端部に操作ハンドル７を被着し、その内側の角孔１０にセンタ−シャフト８の端部の角軸部９を係合し、操作ハンドル７を位置決めしたところで、ビス１１を操作ハンドル７の外側からビス孔１５に挿入し、これをロックシャフト８のネジ孔１２にねじ込んで、操作ハンドル７をハウジング６の前端部に取付ける。
【００６７】
こうして組立てたボタン錠５は概ね図３のようで、ハウジング６の前端部に操作ハンドル７が被着され、その４個の操作窓１３に操作ボタン２２が突出して押圧可能に配置され、該操作ボタン２２の近傍の表示窓２４に暗証情報４１である暗証番号が表示されている
実施形態では表示窓２４に同一の暗証番号「１」が表示され、ロックボ−ル５５とロックシャフト８の凹部６７との係合が解除されてボタン錠５が解錠状態を形成し、ロックシャフト８と該シャフト８に係合して取付けた操作ハンドル７とが同期回動可能にされている。
【００６８】
なお、ハウジング６に設けた水抜き用の切欠溝２９は垂直下側に配置され、常時は操作ハンドル７によって遮蔽されているから、ボタン錠５の外観を損なうことはなく、またボタン錠５が例えば屋外の風雨に曝され、ハウジング６の操作窓１３や操作ボタン２２の出没孔、操作ピン９４の挿入孔３２や表示窓２４から雨水がハウジング６内部に浸入した際、それらを切欠溝２９から排出し、内部機構の劣化や作動不良を防止し得る。
【００６９】
こうして組立てたボタン錠５は前述の状態で保管され取り扱われるが、その使用に際してはロックシャフト８に種々の専用部材を取付け、またはロックシャフト８を用途に応じて種々に加工して構成する。
例えば実施形態のようにロックシャフト８の後端部にロックプレ−ト８６を取付け、該ロックプレ−ト８６をボタン錠５に連係する閂として使用し、またロックシャフト８を角柱状に形成し、ドア錠の錠機構に使用する駆動カムの角孔に係合させる角芯棒として使用し、若しくは別設の角芯棒をロックシャフト８の後端部に同動可能に連結し、更にはロックシャフト８をシリンダ錠に回動可能に装着し、ロックシャフト８をボタン錠５に連係するロ−タリシリンダとして使用し、前記シリンダ錠をキ−の代わりにボタン錠５に連係させて施解錠可能にする。
【００７０】
そして、実施形態のようにボタン錠５をロッカ−の錠前として使用する場合は、ドア３の取付け孔３ａにボタン錠５と一体のロックシャフト８を挿入し、その平坦面７９を取付け孔３ａに係合して回り止めし、そのネジ部７８にナット８５をねじ込んで、ボタン錠５をドア３の前部に取付ける。
この後、固定軸７３の後端部に突出したロックシャフト８の角軸７０にストップワッシャ−８３を取付け、その係止部８４を固定軸７３の後端部に突設した係止爪８２に係合可能に取付け、ロックシャフト８の回動角度を規制するとともに、前記角軸７０の端部にロックプレ−ト８６の角孔８７を嵌合する。その際、ロックプレ−ト８６の回動状態に応じてハウジング６の取付け角度を調整し、切欠溝２９を垂直下向きに位置決めする。
【００７１】
そして、前記ロックプレ−ト８６上にワッシャ−９０とバネ座金９１を配置し、これらにボルト９２を挿入し、これをロックシャフト８のネジ孔７１にねじ込み、ロックプレ−ト８６の一端部をロックシャフト８と同期回動可能に取付け、その他端部を縦枠２およびドア３の屈曲片２ａ，３ａに形成した縦長のロック孔８８，８９に係脱可能に配置する。
この状況は図４のようで、ロックプレ−ト８６の他端部がロック孔８８，８９に係入し、ドア３の開放をロックしている。この場合、ビス１１がボタン錠５の前面に表出しているため、これを適宜手段で隠蔽し、ビス１１の悪戯を防止することが望ましい。
【００７２】
このようなボタン錠５を使用する場合は、操作ボタン２２に予め所望の暗証情報を入力
する。
この暗証情報は４桁の暗証情報を選択して構成し、実施形態では１乃至８の暗証番号を適宜組み合わせて構成する。この場合、同一の暗証番号を重複して使用し、例えば「１１１１」、「１１２２」に選択することも可能である。実施形態では暗証番号として「１２３４」を採用し、上側左の操作ボタン２２を暗証番号「１」に対応させ、以下時計方向へ順に暗証番号「２」、「３」、「４」とし、それぞれ近傍の操作ボタン２２に対応させている。
【００７３】
したがって、暗証番号と対応する操作ボタン２２の位置は特定され、外観的に同一の暗証番号「１２３４」であっても、対応する操作ボタン２２の位置が相違する場合は、例えば「２３４１」、「３４１２」、「４１２３」として入力されることとなる。
実施形態では、図１の上側左の操作ボタン２２を暗証番号「１」に対応させ、上側右の操作ボタン２２を暗証番号「２」に対応させ、下側右の操作ボタン２２を暗証番号「３」に対応させ、下側左の操作ボタン２２を暗証番号「４」に対応させている。
【００７４】
こうして選択した暗証情報は、例えばドア３に取付けたボタン錠５を解錠状態に設定して入力する。
この場合、前記ボタン錠５の解錠状態は、当初は暗証情報が「１１１１」に設定され、その内部では図４０のようロックボ−ル５５とロックシャフト８の凹部６７との係合が解除され、操作ハンドル７とロックシャフト８とが同期回動可能に置かれ、外観上はボタン錠５の前面の各表示窓２４に暗証番号「１」が表示されていることで確認し得る。
その際、解錠状態を確認できなかった場合は、後述のように操作ピン９４およびその把持部９５を用いて操作ボタン２２を所定回数押圧し、各表示窓２４に暗証番号「１」を表示させる。
【００７５】
そこで、前記暗証番号「１２３４」をボタン錠５に入力する場合は、操作ピン９４の把持部９５を保持し、操作ピン９４を操作ボタン２２のピン挿入孔３２に挿入し、その軸端を記憶変更カム５１に当接させ、カムスプリング７６の弾性に抗して押し込む。
このようにすると、カムスプリング７６が押し縮められ、その変位分記憶変更カム５１が同方向へ移動し、この他側で角軸５２が係合溝５０から離間し、記憶変更カム５１と係合溝５０の係合が解除され、中継部材３９が回動可能になる。
この状況の下で前記操作ピン９４の挿入状態を維持しながら、把持部９５の端部を暗証番号に対応する近傍の操作ボタン２２に係合させて所定回数押圧する。
【００７６】
すなわち、ボタン錠５の組立て当初は各表示窓２４に「１」が表示されているから、暗証情報「１」に対応する操作ボタン２２に対しては、暗証情報「１」と当初表示の「１」との差分、つまり操作ボタン２２を零回押圧操作し、換言すれば押圧しないで当初の表示を維持する。
また、暗証情報「２」に対応する操作ボタン２２に対しては、表示窓２４に当初「１」が表示されているから、暗証情報「２」と「１」との差分、操作ボタン２２を１回押圧操作し、暗証情報「３」に対応する操作ボタン２２に対しては、暗証情報「３」と「１」との差分、操作ボタン２２を２回押圧操作し、暗証情報「４」に対応する操作ボタン２２に対しては、表示窓２４に当初「１」が表示されているから、暗証情報「４」と「１」との差分、操作ボタン２２を３回押圧操作する。
【００７７】
前記暗証番号「１２３４」のうち、暗証番号「１」に対応する操作ボタン２２は、図４０において上側右位置の記憶変更カム５１の前方に位置し、同位置の操作ボタン２２を零回押圧操作し、換言すれば押圧しないで当初の表示を維持する。
また、暗証情報「２」に対応する操作ボタン２２は、図４０において上側左位置の記憶変更カム５１の前方に位置し、同位置の操作ボタン２２を１回押圧操作し、暗証情報「３」に対応する操作ボタン２２は、図４０において下側左位置の記憶変更カム５１の前方に位置し、同位置の操作ボタン２２を２回押圧操作し、暗証情報「４」に対応する操作ボタン２２は、図４０において下側右位置の記憶変更カム５１の前方に位置し、同位置の操作ボタン２２を３回押圧操作する。
【００７８】
この場合、実施形態では各表示窓２４に当初は最小の「１」が表示されており、操作ボタン２２の押圧操作によって表示窓２４の表示が順次増大するから、例えば表示窓２４に当初は「１」以上の「３」が表示されている場合は、「３」から「８」を経て「１」に至る回数分、つまり６回押圧操作し、表示窓２４に「１」を表示する。
【００７９】
こうして、暗証情報「１」に対応する操作ボタン２２は零回押圧操作し、つまり組立て時の状態を維持し、また暗証情報「２」に対応する操作ボタン２２を１回押圧操作し、記憶変更カム５１の角軸５２と係合溝５０との係合を解除し、中継部材３９を回動可能にした後、操作ピン９４を更に押し込んで把持部９５の端部を操作ボタン２２の前面に係合し、該操作ボタン２２を押圧する。
このようにすると、操作ボタン２２と、そのドグ３１と係合下のボタンギア３３とがハウジング６の内側へ一緒に押し込まれ、掛止片３０とガイドリブ２１とが係合を解除する
【００８０】
この後、角軸５２と係合溝５０との係合を解除したまま、操作ピン９４の押圧を緩めて前方へ引き戻すと、ボタンスプリング３８の弾性によってボタンギア３３と操作ボタン２２とが原位置に押し戻され、ボタンギア３３が原位置へ復帰する際、そのカムフェ−ス３６ａがガイドリブ２１の先端のテ−パ面に係合し、ボタンギア３３がガイドリブ２１，２１の１ピッチ相当分、つまり４５°回動する。
このため、中継部材３９がボタンギア３３の角孔３４に嵌合した角柱状の支持ガイド４６を介して、支持ガイド４６を中心にボタンギア３３と同期回動し、実施形態では図１０上時計方向へ４５°回動し、これにフランジ４０の表示シ−ル４２が同動して、フランジ４０と相対する表示窓２４の暗証番号が「１」から「２」へ切り替わる。
【００８１】
そして、この後、操作ピン９４をピン挿入孔３２から引き抜くと、記憶変更カム５１がカムスプリング７６の弾性によって押し戻され、その角軸５２が中継部材３９の係合溝５０に係合する。
この場合、記憶変更カム５１は組み付け時と同相位置を維持し、一方、係合溝５０は中継部材３９と一緒に４５°回動しているが、各係合溝５０の中心角度は４５°に設定されているため、回動後も各係合溝５０の位置は当初と同一状態に置かれ、この係合溝５０に角軸５２が係合する。
したがって、記憶変更カム５１は当初の解錠時と同位置を維持し、その凹部５４が暗証番号入力前後と同位置に置かれ、前記凹部５４とロックシャフト８の凹部６７との間にロックボ−ル５５が介在している。
【００８２】
次に、暗証情報「３」に対応する操作ボタン２２に対しては、操作ボタン２２を２回押圧操作する。この場合は、操作ボタン２２を１回押圧操作し、前述と同様にボタンギア３３と中継部材３９を４５°回動し、表示窓２４の暗証番号を「１」から「２」へ切り替えた後、操作ボタン２２を更にもう１回押圧操作し、ボタンギア３３と中継部材３９を更に４５°回動し、表示窓２４の暗証番号を「２」から「３」へ切り替える。
【００８３】
この場合も記憶変更カム５１は組み付け時と同相位置を維持し、一方、係合溝５０は中継部材３９と一緒に９０°回動しているが、各係合溝５０の中心角度は４５°に設定されているため、回動後も各係合溝５０の位置は当初と同一状態に置かれ、この係合溝５０に角軸５２が係合する。
したがって、暗証情報「３」に対応する操作ボタン２２に対する記憶変更カム５１は、当初の解錠時と同位置を維持し、その凹部５４が暗証番号入力前後と同位置に置かれ、前記凹部５４とロックシャフト８の凹部６７との間にロックボ−ル５５が介在している。
【００８４】
更に、暗証情報「４」に対応する操作ボタン２２に対しては、操作ボタン２２を３回押圧操作する。この場合は、操作ボタン２２を１回押圧操作し、前述と同様にボタンギア３３と中継部材３９を４５°回動し、表示窓２４の暗証番号を「１」から「２」へ切り替えた後、操作ボタン２２を更にもう１回押圧操作し、ボタンギア３３と中継部材３９を更に４５°回動し、表示窓２４の暗証番号を「２」から「３」へ切り替える。
この後、操作ボタン２２を更にもう１回押圧操作し、ボタンギア３３と中継部材３９を更に４５°回動し、表示窓２４の暗証番号を「３」から「４」へ切り替える。
【００８５】
この場合も記憶変更カム５１は組み付け時と同相位置を維持し、一方、係合溝５０は中継部材３９と一緒に１３５°回動しているが、各係合溝５０の中心角度は４５°に設定されているため、回動後も各係合溝５０の位置は当初と同一状態に置かれ、この係合溝５０に角軸５２が係合する。
したがって、暗証情報「４」に対応する操作ボタン２２に対する記憶変更カム５１は、当初の解錠時と同位置を維持し、その凹部５４が暗証番号入力前後と同位置に置かれ、前記凹部５４とロックシャフト８の凹部６７との間にロックボ−ル５５が介在している。
【００８６】
このように暗証番号「１２３４」を入力後も、各記憶変更カム５１の凹部５４とロックシャフト８の凹部６７との間にロックボ−ル５５が介在し、操作ハンドル７とロックシャフト８とが同期回動可能になり、ボタン錠５が解錠状態に置かれる。この状況は図４０のようである。
【００８７】
このような暗証情報の入力設定は、操作ピン９４を用いて片手操作ないし押圧操作で行なえるから、これを簡便に行なえるとともに、操作ボタン２２を手指で押圧する場合のような操作ボタン２２に対する指紋の付着を免れ、暗証情報の察知を阻止して防御能力の向上を図れる。また、暗証情報設定の適否は、入力直後に表示窓２４に表示された暗証番号４１を目視で簡便かつ確実に確認できる。
【００８８】
こうして暗証情報を入力設定したボタン錠５を使用して、実際にロッカ−のドア３を閉鎖して施錠する場合は、操作ハンドル７を回動してロックプレ−ト８６をロック孔８８，８９に係入後、４個の操作ボタン２２のうち、１個以上の操作ボタン２２を１回以上押圧して行なう。
例えば１個の操作ボタン２２をボタンスプリング３８の弾性に抗して１回押圧すると、操作ボタン２２とボタンギア３３と記憶変更カム５１がハウジング６側へ一緒に押し込まれる。
この後、操作ボタン２２の押圧操作を解除すると、操作ボタン２２とボタンギア３３と記憶変更カム５１とが、ボタンスプリング３８とカムスプリング７６の弾性によって原位置に押し戻される。
【００８９】
そして、ボタンギア３３が原位置へ復帰する際、そのカムフェ−ス３６ａがガイドリブ２１の先端のテ−パ面に係合し、ボタンギア３３がガイドリブ２１，２１の１ピッチ相当分、つまり４５°回動し、ボタンギア３３の角孔３４に嵌合した角柱状の支持ガイド４６を介して、中継部材３９が支持ガイド４６を中心にボタンギア３３と同期回動し、これにフランジ４０の表示シ−ル４２が同動して、フランジ４０と相対する表示窓２４の暗証番号が解錠時の「１」から「２」に切り替わる。
【００９０】
こうして、中継部材３９が４５°回動すると、その係合溝５０に係合する記憶変更カム５１の角軸５２が同期回動し、その凹部５４が同動してロックシャフト８の凹部６７の対向位置から移動し、記憶変更カム５１の周面がロックボ−ル５５と緊密に係合し、ロックシャフト８の回動を阻止する。したがって、ロックプレ−ト８６の開放回動が阻止され、施錠状態を形成する。この状況は図４および図４１のようである。
この場合、前記施錠後、１個以上の操作ボタン２２を適宜回数押圧操作して偽装工作し、表示窓２４の暗証番号を施錠時または暗証番号設定時と相違させ、設定後の暗証番号「１２３４」を察知されないようにして置くことが望ましい。
【００９１】
このように本発明の施錠状態は１個の操作ボタン２２を１回押圧操作することによって、簡便に行なえるが、前記操作ボタン２２を複数回押圧操作し、または複数の操作ボタン２２を１ないし複数回押圧操作することによっても施錠することができる。
その場合は、操作ボタン２２のドグ３１にボタンギア３３のドグ３５が噛合し、またボタンギア３３の角孔３４に中継部材け３９の角柱状の支持ガイド４６が係合し、更に中継部材け３９の係合溝５０に記憶変更カム５１の角軸５２が係合して、記憶変更カム５１の回動を強固に阻止し施錠状態を堅固に維持する。
【００９２】
このような施錠状態からドア３を開放する場合は、ボタン錠５を解錠してドア３を開放する。前記ボタン錠５の解錠は、前記設定した暗証番号を基に所定の操作ボタン２２を押圧操作して行なう。
実施形態では暗証番号「１２３４」のうち、図４０の上側左位置の操作ボタン２２に暗証番号「１」が設定され、同図の上側右位置の操作ボタン２２に暗証番号「２」が設定され、また同図の下側右位置の操作ボタン２２に暗証番号「３」が設定され、同図の下側右位置の操作ボタン２２に暗証番号「４」が設定されている。ただし、解錠操作前は各操作ボタン２２の近傍の表示窓２４には偽装工作によって、暗証番号と相違する暗証番号が表示されている。
【００９３】
そこで、実際にボタン錠５を解錠する場合は、偽装工作された暗証番号に対し、所定の操作ボタン２２を押圧操作し、その表示窓２４に所定の暗証番号を出現させれば良い。
例えば図４１の施錠状態において、上側右位置の記憶変更カム５１に対応する操作ボタン２２を所定回数押圧操作し、ボタンギア３３と中継部材３９を所定角度同期回動させて、記憶変更カム５１の凹部５４をロックボ−ル５５側に対向させ、表示窓２４に暗証番号「１」を表示させる。
【００９４】
同様に、上側左位置の記憶変更カム５１に対応する操作ボタン２２を所定回数押圧操作し、ボタンギア３３と中継部材３９を所定角度同期回動させて、記憶変更カム５１の凹部５４をロックボ−ル５５側に対向させ、表示窓２４に暗証番号「２」を表示させる。
以後、同様な要領で下側左位置の記憶変更カム５１に対応する操作ボタン２２の近傍の表示窓２４に暗証番号「３」を表示させ、下側右位置の記憶変更カム５１に対応する操作ボタン２２の近傍の表示窓２４に暗証番号「４」を表示させる。
【００９５】
こうして、各操作ボタン２２の近傍の表示窓２４に暗証番号「１」、「２」、「３」、「４」が表示されると、記憶変更カム５１の凹部５４がロックボ−ル５５側に対向し、記憶変更カム５１がその周面とロックボ−ル５との係合を解除し、代わりに凹部５４がロックボ−ル５５と係合して図４０のような解錠状態が形成され、操作ハンドル７とロックシャフト８とが同期回動可能になる。
そこで、操作ハンドル７を保持して回動し、これにロックシャフト８を同期回動させてロックプレ−ト８６を同動させ、該ロックプレ−ト８６の端部をロック孔８８，８９から脱出させて、ロックプレ−ト８６による閂機能を解除し、操作ハンドル７を手前に引けばドア３が蝶番４を支点に回動してロッカ−内部が開放される。
【００９６】
このように実施形態のボタン錠５は、４個の操作ボタン２２が環状に配置され、その外側の近接位置に操作ハンドル７が配置されているから、操作ボタン２２を操作後、操作ハンドル７を速やかに保持して回動操作でき、従来のように操作ハンドルがハウジングの下方で操作ボタンから離隔した位置に配置されたものに比べ、操作ボタン２２の操作から操作ハンドル７に亘る一連の施解錠操作を簡便に行なえる。
【００９７】
一方、ドア３の開放後、これを施錠する場合は前述のように、ドア３を閉鎖し、操作ハンドル７を回動してロックプレ−ト８６を同動させ、その端部をロック孔８８，８９に係入後、１個以上の操作ボタン２２を押圧しボタン錠５を施錠すれば、ドア３の閉鎖状態が強固に形成される。
【００９８】
なお、ボタン錠５の暗証情報は定期的に変更することが保安上望ましく、その場合は操作ピン９４を用いて前述の暗証情報入力時と同様の要領で行なう。
すなわち、操作ピン９４を操作ボタン２２のピン挿入孔３２に挿入し、その軸端を記憶変更カム５１に当接させて押し込み、記憶変更カム５１と係合溝５０の係合を解除し、中継部材３９を回動可能にする。
【００９９】
この状況の下で操作ピン９４の把持部９５を暗証番号に対応する近傍の操作ボタン２２に係合して押圧し、この後、角軸５２と係合溝５０との係合を解除したまま、操作ピン９４を前方へ引き戻して、ボタンギア３３と操作ボタン２２とを原位置に復帰させ、その際ボタンギア３３を駆動回動させて、中継部材３９の表示窓２４の暗証番号を切り替える。
この後、操作ピン９４をピン挿入孔３２から引き抜き、角軸５２を中継部材３９の係合溝５０に解錠時と同相位置で係合させ、凹部５４とロックシャフト８の凹部６７との間にロックボ−ル５５を介在させ、解錠時と同様の状態に調整すれば良い。
【０１００】
なお、ドア錠である箱錠９５またはチュ−ブラ錠９６を自動施錠する場合は、図４２（ａ），（ｂ）のように前記箱錠９５またはチュ−ブラ錠９６を解錠しドアの開放後、閉扉する前に操作ボタン２２の少なくとも一つを押圧し、ボタン錠５を施錠状態にして閉扉し、デットボルト１００を枠体のトロヨケ（共に図示略）に係合すれば、デットボルト１００の係合状態が保持され、かつ角芯棒８ａの回動が拘束されて、閉扉と同時に簡便に施錠される自動施錠状態が形成される。
【０１０１】
また、ドア錠である箱錠１０１またはチュ−ブラ錠１０２を本締施錠する場合は、解錠時のドア錠の閉扉後、図４３（ａ），（ｂ）のように操作ボタン２２を閉回動して連結板１０３を同動させ、デットボルト１０８，１０９を突出させて枠体のトロヨケ（共に図示略）に係合後、操作ボタン２２の少なくとも一つを押圧してボタン錠５を施錠状態にし、ロックシャフト８ないし連結板１０３の回動を拘束してデットボルト１０８，１０９の係合を保持可能にし、閉扉後に簡便に施錠される本締施錠状態が形成される。
更に、ロックシャフト８をキーレス型のシリンダ錠のロータリシリンダとして機能させる場合は、キ−操作の代わりに、操作ボタン２２を操作してロックシャフト８ないしロータリシリンダを回動させ、これを操作ハンドル７と同期回動可能に設けて、電気系統を排除したメカロックタイプのキーレス型シリンダ錠に使用可能にする。
【０１０２】
図４４乃至図４７は本発明の他の実施形態を示し、前述の構成と対応する部分に同一の符号を用いている。この実施形態は操作ハンドル１１３を、前述の実施形態のようなハウジング６より大径の有底円筒状から握持可能な略直方体形状の小形に形成し、該操作ハンドル１１３をハウジング６の周面に沿って所定角度回動可能に設けている。
前記操作ハンドル１１３は回動ア−ム１１４の先端部に取付けられ、該回動ア−ム１１４は図４７のように略Ｌ字形断面に形成され、その基端部に形成した角孔１１５をロックシャフト８の中間部の角軸部１１６に係合し、ロックシャフト８と同期回動可能に設けている。
このように操作ハンドル１１３を小形化することによって、ボタン錠５の小形化と操作性を向上することができる。
【０１０３】
一方、ハウジング６の前端面の中央に４個の表示窓２４が等角度度位置に配置され、該表示窓２４に中継部材３９のフランジ４０に取付けた表示シ−ル４２の暗証情報４１を表示可能にしている。このように各表示窓２４が近接して配置されているから、暗証情報を容易かつ速やかに視認することができる。
【産業上の利用可能性】
【０１０４】
このように本発明のボタン錠は、小形軽量で安価に製作できるとともに、ハウジングの前面に複数の操作ボタンを環状に配置し、その操作ボタンの中央にドア錠やシリンダ錠に連係するロックシャフトを回動可能に配置し、またハウジングの周面に操作ハンドルを移動可能に配置し、ハウジングないし錠前を小形化しドアの美観を向上するとともに、操作ボタンから操作ハンドルの操作に亘る一連の操作を円滑かつ速やかに行なえるから、例えばロッカ−、建具、郵便受け、貴重品ボックス等の錠前に好適である。
【符号の説明】
【０１０５】
１            ドア
５            ボタン錠
６            ハウジング
７            操作ハンドル
８            ロックシャフト
８ａ          角芯棒
２２          操作ボタン
２４          表示窓
２９          切欠溝
【０１０６】
３２          ピン挿入孔
３３          ボタンギア
３９          中継部材
４７          ガイド孔
５０          係合溝
５１          記憶変更カム
５２          角軸
５４          凹部
５５          ロックボ−ル
６７          凹部
【０１０７】
８６          ロックプレ−ト
８８          ロック孔
８９          ロック孔
９４          操作ピン
９５          ドア錠（箱錠）
９６          ドア錠（チュ−ブラ錠）
９７          駆動カム
９７ａ        カム孔
１００        デットボルト
１０１        ドア錠（箱錠）
【０１０８】
１０２        ドア錠（チュ−ブラ錠）
１０３        連結板
１０４        駆動カム
１０５        駆動カム
１０４ａ      カム孔
１０５ａ      カム孔
１０８        デットボルト
１０９        デットボルト
１１３        操作ハンドル
【図１】
2014234657.tif 000003
【図２】
2014234657.tif 000004
【図３】
2014234657.tif 000005
【図４】
2014234657.tif 000006
【図５】
2014234657.tif 000007
【図６】
2014234657.tif 000008
【図７】
2014234657.tif 000009
【図８】
2014234657.tif 000010
【図９】
2014234657.tif 000011
【図１０】
2014234657.tif 000012
【図１１】
2014234657.tif 000013
【図１２】
2014234657.tif 000014
【図１３】
2014234657.tif 000015
【図１４】
2014234657.tif 000016
【図１５】
2014234657.tif 000017
【図１６】
2014234657.tif 000018
【図１７】
2014234657.tif 000019
【図１８】
2014234657.tif 000020
【図１９】
2014234657.tif 000021
【図２０】
2014234657.tif 000022
【図２１】
2014234657.tif 000023
【図２２】
2014234657.tif 000024
【図２３】
2014234657.tif 000025
【図２４】
2014234657.tif 000026
【図２５】
2014234657.tif 000027
【図２６】
2014234657.tif 000028
【図２７】
2014234657.tif 000029
【図２８】
2014234657.tif 000030
【図２９】
2014234657.tif 000031
【図３０】
2014234657.tif 000032
【図３１】
2014234657.tif 000033
【図３２】
2014234657.tif 000034
【図３３】
2014234657.tif 000035
【図３４】
2014234657.tif 000036
【図３５】
2014234657.tif 000037
【図３６】
2014234657.tif 000038
【図３７】
2014234657.tif 000039
【図３８】
2014234657.tif 000040
【図３９】
2014234657.tif 000041
【図４０】
2014234657.tif 000042
【図４１】
2014234657.tif 000043
【図４２】
2014234657.tif 000044
【図４３】
2014234657.tif 000045
【図４４】
2014234657.tif 000046
【図４５】
2014234657.tif 000047
【図４６】
2014234657.tif 000048
【図４７】
2014234657.tif 000049
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
軸方向に変位し所定の情報を設定または入力可能な複数の操作ボタンと、該操作ボタンと同軸上に配置され、前記操作ボタンによる情報の設定または入力に応じて操作ボタンと係合し、かつ軸方向へ変位する回動可能な複数のボタンギアと、該ボタンギアと同期回動可能で周面に複数の凹部を形成した複数の記憶変更カムと、前記操作ボタンとボタンギアと記憶変更カムを収容するハウジングと、該ハウジングに回動可能に装着され、かつ周面に形成した複数の凹部と前記記憶変更カムの凹部との間にロックボールを係合可能に収容したロックシャフトと、該ロックシャフトと同期回動可能な操作ハンドルと、を備え、前記操作ボタンとボタンギアと記憶変更カムとを同軸上に配置し、かつこれらを前方へ移動可能に付勢するとともに、前記ハウジングのロックシャフトと同心円上に複数の操作ボタンを等角度度位置に配置したボタン錠において、前記ハウジングを有底円筒状に形成し、該ハウジングの前記ロックシャフトと同心円上の等角度度位置に、操作ボタンを収容可能なボタン挿入孔と暗証情報の一を表示可能な表示窓を近接して配置し、前記ボタンギアと記憶変更カムとの間に複数の暗証情報を等角度度位置に表示した中継部材を配置し、該中継部材をボタンギアと同期回動可能に設け、前記操作ボタンの押圧操作を介して、前記暗証情報の一を前記表示窓に表示可能にしたことを特徴とするボタン錠。
【請求項２】
前記操作ハンドルをハウジングの外周面に沿って回動可能に設けた請求項１記載のボタン錠。
【請求項３】
前記操作ハンドルを有底円筒状に形成し、該操作ハンドルとハウジングを内外に同心円上に配置した請求項２記載のボタン錠。
【請求項４】
前記操作ハンドルを握持可能な略直方体形状に形成し、該操作ハンドルをハウジングの外周面に沿って回動可能に設けた請求項２記載のボタン錠。
【請求項５】
前記操作ハンドルの前記ロックシャフトと同心円上の等角度度位置に複数の操作窓を設け、該操作窓の内側に前記操作ボタンを配置した請求項３記載のボタン錠。
【請求項６】
前記ハウジングの周面に切欠溝を形成し、該切欠溝をハウジング内部に連通可能に設け、かつ該切欠溝を垂直下向きに配置した請求項１記載のボタン錠。
【手続補正２】
【補正対象書類名】明細書
【補正対象項目名】０００４
【補正方法】変更
【補正の内容】
【０００４】
しかし、前記のものは、ドアの外側に配置するケースフレームの表面に複数のカバーボタンを配置するため、多くの暗証情報を設定でき防御能力が向上する反面、ケースフレームが大形化して広い設置スペースを要し、その使用が広い設置スペースを有するドア等に制約される問題があった。
しかも、暗証番号の設定または変更時は、ブロックおよびケースフレームをドアから取り外してボタンを表出し、また隣接部品を分解して各ボタンの正立または倒立状態を組み換え、板体をスリットに挿入する煩雑な作業を要し、手間が掛かる上にボタンの正立または倒立状態が酷似して間違え易く、しかもケースフレームに各板体を順次積層配置し、これらを一体に固定しているため、ケースフレームと各板体とが分離不可分になって、それらの合理的な製作ないし量産化が難しく、また各部の形状寸法が制約されてケースフレームのデザインに自由度が得られない、等の問題があった。
【手続補正３】
【補正対象書類名】明細書
【補正対象項目名】００１３
【補正方法】変更
【補正の内容】
【００１３】
請求項１の発明は、軸方向に変位し所定の情報を設定または入力可能な複数の操作ボタンと、該操作ボタンと同軸上に配置され、前記操作ボタンによる情報の設定または入力に応じて操作ボタンと係合し、かつ軸方向へ変位する回動可能な複数のボタンギアと、該ボタンギアと同期回動可能で周面に複数の凹部を形成した複数の記憶変更カムと、前記操作ボタンとボタンギアと記憶変更カムを収容するハウジングと、該ハウジングに回動可能に装着され、かつ周面に形成した複数の凹部と前記記憶変更カムの凹部との間にロックボールを係合可能に収容したロックシャフトと、該ロックシャフトと同期回動可能な操作ハンドルと、を備え、前記操作ボタンとボタンギアと記憶変更カムとを同軸上に配置し、かつこれらを前方へ移動可能に付勢するとともに、前記ハウジングのロックシャフトと同心円上に複数の操作ボタンを等角度度位置に配置したボタン錠において、前記ハウジングを有底円筒状に形成し、該ハウジングの前記ロックシャフトと同心円上の等角度度位置に、操作ボタンを収容可能なボタン挿入孔と暗証情報の一を表示可能な表示窓を近接して配置し、前記ボタンギアと記憶変更カムとの間に複数の暗証情報を等角度度位置に表示した中継部材を配置し、該中継部材をボタンギアと同期回動可能に設け、前記操作ボタンの押圧操作を介して、前記暗証情報の一を前記表示窓に表示可能にし、操作ボタンによる暗証情報の一をハウジングの表示窓に表示し、操作ボタンによる暗証情報を正確かつ確実に表示し得るようにしている。
【手続補正４】
【補正対象書類名】明細書
【補正対象項目名】００１４
【補正方法】変更
【補正の内容】
【００１４】
請求項２の発明は、操作ハンドルをハウジングの外周面に沿って回動可能に設け、ハウジングと操作ハンドルを小形化しドアの美観を向上するとともに、操作ハンドルの操作性を向上するようにしている。
請求項３の発明は、操作ハンドルを有底円筒状に形成し、該操作ハンドルとハウジングを内外に同心円上に配置し、操作ハンドルとハウジングを小形化しドアの美観を向上するとともに、操作ハンドルの操作性を向上するようにしている。
請求項４の発明は、操作ハンドルを握持可能な略直方体形状に形成し、該操作ハンドルをハウジングの外周面に沿って回動可能に設け、操作ハンドルを小形化し、その操作性を向上するようにしている。
【手続補正５】
【補正対象書類名】明細書
【補正対象項目名】００１５
【補正方法】変更
【補正の内容】
【００１５】
請求項５の発明は、操作ハンドルの前記ロックシャフトと同心円上の等角度度位置に複数の操作窓を設け、該操作窓の内側に前記操作ボタンを配置し、操作ボタンの突出ないし露出を回避して保護するようにしている。
請求項６の発明は、ハウジングの周面に切欠溝を形成し、該切欠溝をハウジング内部に連通可能に設け、かつ該切欠溝を垂直下向きに配置し、ハウジング内に浸入する雨水を切欠溝から排出して流下し、錠前の故障や機能低下を防止するようにしている。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
請求項１の発明は、ハウジングを有底円筒状に形成し、該ハウジングの前記ロックシャフトと同心円上の等角度度位置に、操作ボタンを収容可能なボタン挿入孔と暗証情報の一を表示可能な表示窓を近接して配置し、前記ボタンギアと記憶変更カムとの間に複数の暗証情報を等角度度位置に表示した中継部材を配置し、該中継部材をボタンギアと同期回動可能に設け、前記操作ボタンの押圧操作を介して、中継部材の暗証情報の一を前記表示窓に表示可能にしたから、操作ボタンによる暗証情報の一をハウジングの表示窓に表示し、操作ボタンによる暗証情報を正確かつ確実に表示することができる。
請求項２の発明は、操作ハンドルをハウジングの外周面に沿って回動可能に設けたから、ハウジングと操作ハンドルを小形化しドアの美観を向上するとともに、操作ハンドルの操作性を向上することができる。
【手続補正９】
【補正対象書類名】明細書
【補正対象項目名】００１９
【補正方法】変更
【補正の内容】
【００１９】
請求項３の発明は、操作ハンドルを有底円筒状に形成し、該操作ハンドルとハウジングを内外に同心円上に配置したから、操作ハンドルとハウジングを小形化しドアの美観を向上するとともに、操作ハンドルの操作性を向上することができる。
請求項４の発明は、操作ハンドルを握持可能な略直方体形状に形成し、該操作ハンドルをハウジングの外周面に沿って回動可能に設けたから、操作ハンドルを小形化し、その操作性を向上することができる。
請求項５の発明は、操作ハンドルの前記ロックシャフトと同心円上の等角度度位置に複数の操作窓を設け、該操作窓の内側に前記操作ボタンを配置したから、操作ボタンの突出ないし露出を回避して保護することができる。
【手続補正１０】
【補正対象書類名】明細書
【補正対象項目名】００２０
【補正方法】変更
【補正の内容】
【００２０】
請求項６の発明は、ハウジングの周面に切欠溝を形成し、該切欠溝をハウジング内部に連通可能に設け、かつ該切欠溝を垂直下向きに配置したから、ハウジング内に浸入する雨水を切欠溝から排出して流下し、錠前の故障や機能低下を防止することができる。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００３５
【補正方法】変更
【補正の内容】
【００３５】
前記ハウジング６の内周面とガイドリング２０との間に、地紙形状の暗証情報表示窓２４が形成され、該表示窓２４に後述する中継部材に設けた暗証情報を表示可能にしている
図中、２５は前記ハウジング６の内周面の等角度位置に突設した略三角柱状の複数の係止突起で、ガイドリング２０，２０の間に配置され、相対する一組の係止突起２５の下端部に凸部２６が突設され、該凸部２６と係止突起２５の下端面にネジ孔２７，２８が形成されている。
この他、図中、２９は前記ハウジング６の開口側周面に形成した水抜き用の切欠溝で、ハウジング６の取付け時に垂直下向きに位置付られ、ハウジング６内に浸入した雨水等を排出可能にしている。
【手続補正１４】
【補正対象書類名】明細書
【補正対象項目名】００３６
【補正方法】変更
【補正の内容】
【００３６】
前記操作ボタン２２は耐摩耗性の合成樹脂によって有底筒状に成形され、その開口側周面に複数の掛止片３０を突設し、開口端面に鋸歯状の複数のドグ３１を突設している。
実施形態では８個のガイドリブ２１と掛止片３０とが等角度度位置に配置され、該掛止片３０と同角度位置にドグ３１が突設され、該ドグ３１に後述するボタンギアのドグが噛合可能に突設されている。
図中、３２は操作ボタン２２の前部に形成したピン挿入孔で、暗証情報の設定および変更時に操作具である操作ピンが差し込まれる。
【手続補正１５】
【補正対象書類名】明細書
【補正対象項目名】００９１
【補正方法】変更
【補正の内容】
【００９１】
このように本発明の施錠状態は１個の操作ボタン２２を１回押圧操作することによって、簡便に行なえるが、前記操作ボタン２２を複数回押圧操作し、または複数の操作ボタン２２を１ないし複数回押圧操作することによっても施錠することができる。
その場合は、操作ボタン２２のドグ３１にボタンギア３３のドグ３５が噛合し、またボタンギア３３の角孔３４に中継部材３９の角柱状の支持ガイド４６が係合し、更に中継部材け３９の係合溝５０に記憶変更カム５１の角軸５２が係合して、記憶変更カム５１の回動を強固に阻止し施錠状態を堅固に維持する。